(57)【要約】【課題】種々の問題に対して、簡単かつ経済的で効果的な解決策を提供すると同時に、特に小さな直径のエンジンにおいてブレード間プラットフォームの使用を可能にすること。【解決手段】ロータディスク（１２）の周囲でスロット（２３）に取り付けられるブレード（１６）と、ディスク（１２）の対応するラグに固着するための半径方向のラグを有するブレード間プラットフォーム（２０）と、を備え、各プラットフォーム（２０）が、プラットフォーム（２０）のラグにおけるオリフィスおよびディスク（１２）のラグにおける対応するオリフィスに挿入されるピン（６４）によって、ディスク（１２）に固着される。【選択図】図１
2014005834.tif 000002
【特許請求の範囲】
【請求項１】
各根元部がロータディスクの周囲の各スロットに取り付けられる複数のブレードと、複数のブレード間プラットフォームとを備えており、ブレード間プラットフォームのそれぞれが、ブレード根元部を取り付けるためのスロット間においてディスクの対応するラグに固着される複数の半径方向ラグを、その軸方向に有しており、ブレード間プラットフォームのそれぞれが、このブレード間プラットフォームにおける全てのラグとディスクの対応する全てのラグとを貫通するただ１つのピンによってディスクに固着される、ターボ機械ファン。
【請求項２】
各プラットフォームが、その上流端部および下流端部のそれぞれに、半径方向のラグを備えている、請求項１に記載のファン。
【請求項３】
各プラットフォームは、その上流端部が、ディスクの上流ラグに対して軸方向かつ半径方向に担持される、請求項１に記載のファン。
【請求項４】
各プラットフォームは、その下流端部が、ディスクに取り付けられて固着された下流環状側板のラグに対して軸方向かつ半径方向に担持される、請求項１に記載のファン。
【請求項５】
ピンは、上流からプラットフォームおよびディスクのラグにおけるオリフィスに挿入され、その上流端部に、ディスクに追加されて固着される上流環状側板によってプラットフォームの上流ラグに当てて固定される頭部を備えている、請求項１に記載のファン。
【請求項６】
取り付けられた位置において、ピンは、ディスクの回転軸に対して斜めに延在している、請求項１に記載のファン。
【請求項７】
ピンが、外側に向かって下流に延在している、請求項６に記載のファン。
【請求項８】
請求項１に記載のファンを備える航空機ターボファンまたはターボプロップなどのターボ機械。
【請求項９】
本体よりも大きな直径を有する頭部に一端が接合された実質的に円筒形の細長い直線形状の本体を備える、請求項１に記載のファンのディスクにブレード間プラットフォームを固着するためのピン。
【請求項１０】
チタンまたは複合材料などの高強度で軽量の材料から製造された、請求項９に記載のピン。
【発明の詳細な説明】
【技術分野】
【０００１】
本発明は、航空機のターボファンまたはターボプロップなどのターボ機械のファンに関する。
【背景技術】
【０００２】
知られている態様において、ターボ機械ファンは、ディスクの周囲に形成される実質的に軸方向のスロットでその根元部が係合されて保持される複数のブレードを担持するロータディスクを備える。これらのブレードは、プラットフォームとの半径方向の内側端部で結合され、これらのプラットフォームは、ターボ機械に入る空気流用の環状流路を内部に画定する。
【０００３】
ファンの各ブレードは、プラットフォームと単一部品に形成されてもよい。ブレードは、その場合には相対的に重く、ブレード根元部における相当の機械的応力によって動作中に現れる因子が、場合によっては、破損または分割をこの根元部に生じる原因となる。さらに、このタイプのファンブレードの損失は、ターボ機械に著しい損傷を生じる結果となり、ファンの不つり合いを相当増大する。
【０００４】
ファンブレードおよびプラットフォームはまた、互いに独立であってもよい。プラットフォームは、ブレード間プラットフォームと呼ばれ、２つの隣接ブレード間でファンディスクにそれぞれ装着されて固着される。各プラットフォームは、プラットフォームのラグにおけるオリフィスおよびディスクのラグの対応するオリフィスに取り付けられたナットおよびボルト型またはスラグから構成される多数のシステムによって、ディスクの対応するラグに固着される内部半径方向のラグを備える。これらのブレードは、プラットフォームに連結されないため、したがって、ブレード根元部が動作中に受ける機械的応力を相当低減することを可能にする。次に、ファンを軽量化し、したがってターボ機械の性能を増大させるために、ブレード根元部のサイズを減少することも可能である。さらに、ファンブレードを喪失した場合には、ブレードの両側に１つずつ位置する２つのプラットフォームは依然として、ディスク上に置かれ、ターボ機械においてさらなる損傷を生じないようにする。これらの２つのプラットフォームはさらに、ブレードの半径方向内側端部と接触する喪失したブレードがデブリを生じないようすることによって、周囲のファンブレードを保護することを可能にする。
【発明の概要】
【発明が解決しようとする課題】
【０００５】
しかし、ブレード間プラットフォームの使用は、上記で明記した理由のために有利であるが、ナットおよびボルト型またはスラグから構成されるシステムによって、これらのプラットフォームを固着することは、約１ｍの直径を有する小さなエンジンの場合に達成することは困難であることが分かっており、不可能である場合もある。この理由は、ナットおよびボルト型から構成される固着システムが、きわめて分厚く、小さな直径のエンジンに用いることができないことである。さらに、２つの隣接するファンブレード間の間隔およびプラットフォームの半径方向の内部に位置する空間は、これらの固着システムを締め付けるために必要な工具を操作することができるほど十分ではない。したがって、製作業者は、小さな直径のエンジンに組み込み型プラットフォームを有するブレードを用いることを強いられる。
【０００６】
本発明の具体的な目的は、これらの種々の問題に対して、簡単かつ経済的で効果的な解決策を提供すると同時に、特に小さな直径のエンジンにおいてブレード間プラットフォームの使用を可能にすることである。
【課題を解決するための手段】
【０００７】
したがって、本発明は、その根元部がロータディスクの周囲のスロットに取り付けられる複数のブレードと、ブレード根元部を取り付けるためのスロットの間で、ディスクを対応するラグに固着するための半径方向のラグを有するブレード間プラットフォームとを備え、各プラットフォームが、プラットフォームのラグにおけるオリフィスおよびディスクのラグの対応するオリフィスに挿入されるピンによってディスクに固着される、ターボ機械ファンを提供する。
【０００８】
本発明によれば、各ブレード間プラットフォームは、プラットフォームの全体的な軸方向の寸法に沿って実質的に延在し、プラットフォームのラグにおけるオリフィスおよびディスクのラグの対応するオリフィスの中で上流または下流から実質的に軸方向に係合する単独の構成要素を用いて、ディスクに固着される。ピンは、ファンの上流または下流から取り付けられ、プラットフォームの半径方向の内部に位置する空間において、特定の工具の操作を必要としない。したがって、小さな直径のエンジンを含め、任意のタイプのエンジンにブレード間プラットフォームを用いることを可能にする。
【０００９】
これらのプラットフォームのそれぞれは、その上流端部および下流端部のそれぞれに、半径方向のラグを備えてもよい。
【００１０】
有利には、各プラットフォームは、ディスクの上流ラグに接触するその上流端部およびディスクに追加されて固着される下流の環状側板のラグに接触するその下流端部で、軸方向かつ半径方向に担持される。
【００１１】
プラットフォームとディスクとの間およびプラットフォームと環状側板との間の上流および下流の担持接触部は、ディスクにおけるプラットフォームの正確な位置決めを確保し、プラットフォームのラグにおけるオリフィスが、ディスクおよび環状端部板のラグにおけるオリフィスと正確に整列されることを確保する。
【００１２】
好ましくは、ピンは、上流からプラットフォームおよびディスクのラグにおけるオリフィスに挿入され、その上流端部に、ディスクに追加されて固着される上流の環状側板によって、プラットフォームの上流ラグに対して当てられ続ける頭部を備える。
【００１３】
したがって、ピンは、上流の環状側板およびプラットフォームの上流ラグに対して軸方向に担持されることによって、軸方向に不動である。この不動化により、特定の工具を用いなくて済む。
【００１４】
取り付け位置において、ピンは好ましくは、ディスクの回転軸に対して斜めに延在する。ピンは、例えば、外側に向かって下流に延在してもよい。
【００１５】
本発明はまた、上述のタイプのファンを備える航空機ターボファンなどのターボ機械に関する。
【００１６】
本発明はさらに、上述のようにファンのディスクにブレード間プラットフォームを固着するためのピンであって、本体より大きい直径または横寸法を有する頭部に一端で接合される実質的に円筒形の細長い直線形状の本体を備えるピンに関する。
【００１７】
ピンは、チタンまたは複合材料などの強力で軽量材料から製造されてもよい。
【００１８】
添付図面を参照して非限定的な実施例によって与えられる以下の詳細を読めば、本発明は、よりよく理解され、本発明の他の利点および特徴は、明白となるであろう。
【図面の簡単な説明】
【００１９】
【図１】本発明によるターボ機械ファンの軸方向断面における部分概略半図である。
【図２】上流および側面から見たときの図１に示されたファンのブレード間プラットフォームの斜視概略図である。
【図３】上流および側面から見たときの図１に示されたファンのディスクの概略斜視図である。
【図４】上流から見たときの図１に示されたファンディスクの別の概略斜視図であり、このファンを組み立てるステップを示す。
【発明を実施するための形態】
【００２０】
第一に、ターボ機械ファン１０を概略的に示す図１を参照されたい。ターボ機械ファン１０は、タービンシャフト１４の上流端部に取り付けられ、その周囲に、ファンの回転軸１８を中心にして均一に分散され、その間にブレード間プラットフォーム２０が取り付けられる複数のブレード１６を担持するディスク１２を備える。
【００２１】
ブレード１６は、プラットフォーム２０と共に、ターボ機械に入る空気流２２のための環状流路を画定するナセル（図示せず）によって外側から包囲される。
【００２２】
その周囲で、ディスク１２は、ディスク１２の全長にわたって長手方向に延在するスロット２３およびリブ２４の交互構成を備える（図３）。それらの半径方向内部の端部で、ブレード１６は、上流からディスクのスロット２３の中に軸方向に係合し、これらのスロット２３と連結する形状によって協働し、ブレード１６がディスク１２上で半径方向に保持されることを確保するための根元部を備える。ブレード根元部は、例えば、ダブテイル形状を有する。
【００２３】
ブレード１６は、ディスク１２の下流面に追加されて固着される環状側板２６によって、軸方向の下流に保持される。示された実施例において、側板２６は、ナットおよびボルト型の手段２９を用いて、ディスク１２の半径方向の外部下流ラグ２８に固着される。この下流側板２６は、その半径方向外側端部で、ブレード間プラットフォーム２０と整列される内部ファンケーシング３０と封止して協働する。
【００２４】
シム３２は、ディスク１２上で半径方向にブレード１６を不動にするためにブレード根元部とスロット２３の下部との間に上流から軸方向に挿入される（図１および図４）。その上流端部で、このシム３２は、上流方向においてブレードを軸方向に保持するために、ブレード根元部の上流端部に接触して軸方向に担持する半径方向リップ３４を備える。シム３２は、ディスク１２の上流面に追加されて固着され、シム３２の半径方向リップに接触してその半径方向外側端部に担持する上流環状側板３６によって、軸方向に不動化される。上流環状側板３６の半径方向内側端部は、下流に位置するファンディスクの環状フランジ３８と、上流に位置するターボ機械の入口円錐４２の環状フランジ４０との間に介在され、ナットおよびボルト型の手段２９を用いて、これらのフランジ３８、４０の間で締結される。入口円錐４２は、ブレード間プラットフォーム２０と整列される。
【００２５】
各プラットフォーム２０は、実質的に円周方向の向きの壁４４と、一方は上流に、一方は下流にあり、壁４４の内面から半径方向内側に延在する２つの半径方向ラグ４６、４８と、を備える。２つのラグ４６および４８は、壁４４の内面に沿って上流ラグ４６から下流ラグ４８まで延在する少なくとも１つの長手方向の補強リブ５０によって相互接続される（図２）。
【００２６】
各プラットフォーム２０は、２つの隣接ブレード１６の間でディスク１２のリブ２４上に位置決めされ、ディスク１２の半径方向外側上流ラグ５２および下流環状側板２６に担持される半径方向外側ラグ５４に接触して軸方向かつ半径方向に担持する。さらに正確に言えば、プラットフォーム２０のラグ４６および４８は、ディスク１２のラグ５２および下流環状側板２６のラグ５４に接触して下流方向において軸方向に担持し、プラットフォーム２０の壁４４またはリブ５０は、ディスク１２の上流ラグ５２の半径方向外側端部に接触してその上流端部で半径方向に担持し、プラットフォーム２０のリブ５０は、下流環状側板２６のラグ５４の半径方向外側端部に接触してその下流端部で半径方向に担持する。これらの担持接触は、ディスク１２のリブ２４上におけるプラットフォーム２０の正確な位置決めを確保し、ディスク１２および下流環状側板２６のラグにおけるオリフィス６０および６２とプラットフォーム２０のラグにおけるオリフィス５６および５８の軸方向の整列を確保する（図１）。
【００２７】
本発明によれば、プラットフォーム２０は、上流からプラットフォーム２０のラグにおけるオリフィス５６、５８およびディスク１２および下流環状側板２６のラグのオリフィス６０および６２に実質的に軸方向に係合するピン６４によって、ディスク１２のリブ２４上で不動化される。
【００２８】
このピン６４は、実質的に円筒であり、プラットフォーム２０の半径方向内側で上述のオリフィス５６、５８、６０、６２を通って延在することを意図した細長い直線形状の本体６６を備える。示された実施例において、ピン６４は、ファン１０の回転軸１８に対して傾斜されており、外側に向かって下流に延在する。
【００２９】
ピン６４の本体６６は、その上流端部で本体６６より大きな直径または大きな横寸法を有する頭部６８に接合され、この頭部６８は、下流方向に向けられ、プラットフォーム２０のラグ４６の上流面と当接することを意図する半径方向の面を有し、上流方向においてプラットフォーム２０を軸方向に保持する。ピン６４の頭部６８は、ピン６４の頭部６８の上流端部に接触してその半径方向外側端部で担持する上流環状側板３６によって、この位置で不動化される。
【００３０】
本発明によるファン１０は、以下の方法で組み立てられる。下流環状側板２６が、ナットおよびボルト型の手段２９を用いて、ディスク１２に固着される（図３）。ブレード１６の根元部が次に、ブレード１６が下流環状側板２６に対して当接するまで、ディスクのスロット２３に上流から軸方向に係合される。シム３２が次に、ディスク１２上で半径方向でブレード１６を不動化するために、ブレード根元部の下に挿入される（図４）。プラットフォーム２０が次に、ディスク１２のリブ２４上に取り付けられる。各プラットフォーム２０は、プラットフォーム２０がディスク１２の上流ラグ５２および下流環状側板２６のラグ５４に接触して、軸方向かつ半径方向に担持するまで、ディスク１２のリブ２４の上に持ってきて、半径方向内側に移動され得る。ピン６４は、ピン６４の上流頭部６８がプラットフォーム２０の上流ラグ４６の上流面に対して当接するまで、上流側からプラットフォーム２０のラグ４６および４８におけるオリフィス５６および５８をディスク１２および環状側板２６のラグにおけるオリフィス６０および６２を介して、実質的に軸方向に係合される（図１および図４）。上流環状側板３６が、次に、組立品を固定するために、ディスク１２の上流フランジ３８に追加されて固着される（図１）。
【００３１】
本発明によるファン１０の使用は、小さなエンジンの場合に特に有利であることが分かっているが、大きなエンジンの場合にも等しく用いられ得る。この目的のために、１つまたは複数の追加の半径方向のラグが、プラットフォーム２０上に設けられ得、対応する半径方向のラグが、ディスク１２のリブ２４上に設けられ得、これらのラグは、ピン６４が通過するオリフィスを有する。これは、ターボ機械の動作中、プラットフォーム２０の屈曲移動を制限することを可能にする。
【００３２】
ディスク１２および下流環状側板２６が、単一部品に製造され得る。
【００３３】
プラットフォーム２０は、ブレード１６に関して用いられる材料と同一の材料、例えば金属、あるいは複合材料またはチタンなどの強力な軽量材料から製造され得る。
【符号の説明】
【００３４】
１０  ターボ機械
１２  ディスク
１４  タービンシャフト
１６  ブレード
１８  ファンの回転軸
２０  ブレード間プラットフォーム
２２  空気流
２３  スロット
２４  リブ
２６  下流環状側板
２８  下流ラグ
２９  ナットおよびボルト型の手段
３０  内部ファンケーシング
３２  シム
３６  上流環状側板
３８、４０  環状フランジ
４２  入口円錐
４４  壁
４６、４８、５２、５４  ラグ
５０  補強リブ
５６、５８、６０、６２  オリフィス
６４  ピン
６６  ピン本体
６８  ピン頭部
【図１】
2014005834.tif 000003
【図２】
2014005834.tif 000004
【図３】
2014005834.tif 000005
【図４】
2014005834.tif 000006